(57)【要約】  【課題】  球等を飛ばす競技環境内の複数の地点、特に、打者の位置における風の状態と同時に高度や打者からの距離が異なる地点の風の状態を電子機器の表示画面上にリアルタイムに表示する。  【解決手段】  第一風状態計測装置Ｆ１の方向Ｄ１を打者の向きＤ１に合わせて風向きＷ１を計測する。第二風状態計測装置Ｆ２によって上空の風向きＷ２を計測する。第三風状態計測装置Ｆ３によって打球の落下予定地点の風向きＷ３を測定する。第一風状態計測装置Ｆ１の方向Ｄ１と、第二風状態計測装置Ｆ２の方向Ｄ２および第三風状態計測装置Ｆ３の方向Ｄ３との偏差角度をそれぞれ求め、各計測装置Ｆ２，Ｆ３で測定された風向きを補正し、電子機器の表示画面上にテロップＧ１，Ｇ２，Ｇ３として第一風状態計測装置Ｆ１の方向Ｄ１を垂直にした場合の風向きＷ１，Ｗ２，Ｗ３をそれぞれ表示する。  【選択図】  図１
2005144003.tif 000002
【特許請求の範囲】
【請求項１】
少なくとも一つの移動可能な第一風状態計測装置と、少なくとも一つの上空の風状態を計測するために固定的に設けられた第二風状態計測装置とを用いて、球等を飛ばす競技場の風状態を電子機器の表示画面上に表示する方法であって、
第一風状態計測装置を、打者近傍に、該第一風状態計測装置の風向センサーの方向を該打者の指向する打球方向と合わせて設置する第一風状態計測装置設置ステップ、
上記第一風状態計測装置の風向センサーの方向に対する風方向を少なくとも含む風状態を計測する、第一風状態計測装置による計測ステップ、
上記第一風状態計測装置の風向センサーの方向と上記第二風状態計測装置の風向センサーの方向との偏差角度を決定する偏差角度決定ステップ、 
上記第二風状態計測装置の風向センサーによって計測された風方向を、上記決定された、第一風状態計測装置の風向センサーの方向と上記第二風状態計測装置の風向センサーの方向との偏差角度によって、上記第一風状態計測装置の風向センサーの方向に対する風方向に補正する風方向補正ステップ、および
上記第一風状態計測装置によって計測された風方向を少なくとも含む風状態情報と、上記第二風状態計測装置計測によって計測されかつ上記第一風状態計測装置の風向センサーの方向に対する風方向に補正された風方向を少なくとも含む風状態情報とを、電子情報機器の表示画面上に同時に表示するために、通信機器を介して基地局に送信する送信ステップ、
を含むことを特徴とする風状態情報表示方法。
【請求項２】
さらに移動可能な第三風状態計測装置を少なくとも一つ追加して、該第三風状態計測装置の風向センサーの方向に対する風方向を少なくとも含む風状態を計測すると共に、該風向センサーの方向と前記第一風状態計測装置の風向センサーの方向との偏差角度を計測し、該偏差角度によって上記第三風状態計測装置の風向センサーによって計測された風方向を、上記第一風状態計測装置の風向センサーの方向に対する風方向に補正することを特徴とする請求項１に記載の風状態情報表示方法。
【請求項３】
上記第三風状態計測装置によって計測されかつ上記第一風状態計測装置の風向センサーの方向に補正された風方向を少なくとも含む風状態情報を、上記第一風状態計測装置によって計測された風方向を少なくとも含む風状態情報および上記第二風状態計測装置によって計測されかつ上記第一風状態計測装置の風向センサーの方向に補正された風方向を少なくとも含む風状態情報と共に、電子情報機器の表示画面上に同時に表示するために、通信機器を介して基地局に送信することを特徴とする請求項２に記載の風状態情報表示方法。
【請求項４】
上記第二風状態計測装置は、上記競技場またはその近傍において遮蔽物のない高さに設置されることを特徴とする請求項１ないし請求項３のいずれか一つに記載の風状態情報表示方法。
【請求項５】
上記競技場がゴルフコースであることを特徴とする請求項１ないし請求項４のいずれか一つに記載の風状態情報表示方法。
【請求項６】
上記風状態情報を電子機器の表示画面に表示する際、その内容と対応する実写映像画面と重ね合わせて表示することを特徴とする請求項１または請求項３のいずれかに記載の風状態情報表示方法。
【請求項７】
上記風状態情報を電子機器の表示画面に表示する際、
第一風状態測定装置の風向センサーの方向を画面垂直方向に決定し、該画面垂直方向に対して該第一風状態測定装置で計測された風方向、上記第一風状態計測装置の風向センサーの方向を基準として補正された上記第二風状態計測装置の風向センサーによって計測された風方向を、場合によっては上記第一風状態計測装置の風向センサーの方向を基準として補正された上記第三風状態計測装置の風向センサーによって計測された風方向をも、同時に表示することを特徴とする請求項１、請求項３、または請求項６のいずれか一つに記載の風状態情報表示方法。
【請求項８】
少なくとも一つの移動可能な第一風状態計測装置と少なくとも一つの上空の風を計測するために固定的に設置された第二風状態計測装置とを備えた、球等を飛ばす競技場の風状態を電子機器の表示画面上に表示するシステムであって、
上記第一風状態計測装置の方向に対する風方向を少なくとも含む風状態を計測する手段、
上記第二風状態計測装置の方向に対する上空の風方向を少なくとも含む風状態を計測する手段、
上記第一風状態計測装置の方向と上記第二風状態計測装置の方向との偏差角度を決定する手段、
上記第二風状態計測装置によって計測された該第二風状態計測装置の方向に対する風方向を上記偏差角度によって上記第一風状態計測装置の方向に対する風方向に補正する手段、および、
上記第一風状態計測装置よって計測された風方向を少なくとも含む風状態情報と上記第一風状態計測装置の方向に対する風方向に補正された上記第二風状態計測装置によって計測された風方向を少なくとも含む風状態情報とを、電子情報機器の表示画面上に同時に表示するために、通信機器を介して基地局に送信する手段、
とを備えたことを特徴とする風状態情報表示システム。
【請求項９】
上記第二風状態計測装置は、上記競技場またはその近傍において遮蔽物のない高さに設置されることを特徴とする請求項８に記載の風状態情報表示システム。
【請求項１０】
上記競技場がゴルフコースであることを特徴とする請求項８または請求項９に記載の風状態情報表示システム。
【請求項１１】
さらに移動可能な第三風状態計測装置を少なくとも一つ追加して、
該第三風状態計測装置には、該第三風状態計測装置の設置方向に対する風方向を少なくとも含む風状態を計測する手段および該第三風状態計測装置の方向を計測する手段を備え、
上記第一風状態計測装置には、該第三風状態計測装置の方向と上記第一風状態計測装置の方向との偏差角度によって該第三風状態計測装置の方向に対する風方向を上記第一風状態計測装置の方向に対する風方向に補正する手段を備えたことを特徴とする請求項８に記載の風状態情報表示システム。
【請求項１２】
上記第三風状態計測装置によって計測されかつ上記第一風状態計測装置の方向に対する風方向に補正された風方向を少なくとも含む風状態情報を、上記第一風状態計測装置によって計測された風方向を少なくとも含む風状態情報および上記第一風状態計測装置の方向に対する風方向に補正された上記第二風状態計測装置によって計測された風方向を少なくとも含む風状態情報と共に、電子情報機器の表示画面上に同時に表示するために通信機器を介して基地局に送信する手段を備えたことを特徴とする請求項１１に記載の風状態情報表示システム。
【請求項１３】
上記風状態情報を電子機器の表示画面に表示する際、その内容と対応する実写映像画面と重ね合わせて表示する手段を備えたことを特徴とする請求項８ないし請求項１２のいずれか一つに記載の風状態情報表示システム。
【請求項１４】
上記風状態情報を電子機器の表示画面に表示する際、第一風状態測定装置の風向センサーの方向を画面垂直方向に決定し、該画面垂直方向に対して、上記第一風状態計測装置によって計測された風方向を少なくとも含む風状態情報、および、上記第一風状態計測装置の方向に対する風方向に補正された第二風状態計測装置場合によっては第三風状態計測装置によってそれぞれ計測された風方向を少なくとも含む風状態情報を同時に表示する手段、を備えたことを特徴とする請求項８ないし請求項１３のいずれか一つに記載の風状態情報表示システム。
【請求項１５】
上記第三風状態計測装置の方向を計測する手段として該第三風状態計測装置に方位決定装置を設けたことを特徴とする請求項１１に記載の風状態情報表示システム。
【請求項１６】
上記第一風状態計測装置に、
上記第二風状態計測装置必要に応じて上記第三風状態計測装置と送受信するための無線送受信装置、
移動体無線通信基地局と送受信するための無線送受信装置、および
上記風方向の補正処理を行うＣＰＵを備えた、請求項８ないし請求項１５のいずれか一つに記載の風状態情報表示システム。
【請求項１７】
上記移動体無線通信基地局と送受信を行うための無線送受信装置として携帯電話を使用することを特徴とする請求項１６に記載の風状態情報表示システム。
【発明の詳細な説明】
【技術分野】
【０００１】
本発明は、競技場等の環境内の複数の地点の風の状態を電子機器の表示画面上に表示する方法およびそのシステムに関する。特に、ゴルフ、野球等、球を飛ばす競技環境内の複数の地点の風向を、球を飛ばす方向に合わせて電子機器の表示画面上に同時に表示する方法およびシステムに関する。
【背景技術】
【０００２】
ゴルフ等、球等を飛ばす競技においてコースの風向や風速を各ホールごとに計測して競技者の携帯する移動端末の表示画面に表示し、競技者の参考に供するシステムは下記特許文献に記載されているように既に提案されている。
【特許文献１】特開平９−１１３５９６号公報
【発明の開示】
【発明が解決しようとする課題】
【０００３】
しかし、これは、ゴルフの打者が球を打つ地点の地表付近の風向のみを、風向センサーで風向計測しそれをリアルタイムで携帯端末に送信するものであって、打球が実際に影響を受ける上空の風向や打球の落下予定地点の局所的な風向についてはリアルタイムに電子機器の表示画面上に表示することができなかった。
【０００４】
本発明は、上記の欠点を改良するために開発されたものであり、競技環境内の複数の地点、特に上空の風や打者からの距離が異なる地点の風の状態をリアルタイムに同時に表示する方法およびシステムを提供することを主な目的とする。また、ゴルフ等、打者の位置が連続的に変化する競技において競技場内の複数の地点の風向きを電子機器の表示画面上に同時に表示する際に特に適した方法およびシステムを提供することを目的とする。
【課題を解決するための手段】
【０００５】
上述の課題を解決するために、本発明の風状態情報表示方法は、少なくとも一つの移動可能な第一風状態計測装置と、少なくとも一つの上空の風状態を計測するために固定的に設けられた第二風状態計測装置とを用いて、球等を飛ばす競技場の風状態を電子機器の表示画面上に表示する方法であって、第一風状態計測装置を、打者近傍に、該第一風状態計測装置の風向センサーの方向を該打者の指向する打球方向と合わせて設置する第一風状態計測装置設置ステップ、上記第一風状態計測装置の風向センサーの方向に対する風方向を少なくとも含む風状態を計測する、第一風状態計測装置による計測ステップ、上記第一風状態計測装置の風向センサーの方向と上記第二風状態計測装置の風向センサーの方向との偏差角度を決定する偏差角度決定ステップ、 上記第二風状態計測装置の風向センサーによって計測された風方向を、上記決定された、第一風状態計測装置の風向センサーの方向と上記第二風状態計測装置の風向センサーの方向との偏差角度によって、上記第一風状態計測装置の風向センサーの方向に対する風方向に補正する風方向補正ステップ、および上記第一風状態計測装置によって計測された風方向を少なくとも含む風状態情報と、上記第二風状態計測装置計測によって計測されかつ上記第一風状態計測装置の風向センサーの方向に対する風方向に補正された風方向を少なくとも含む風状態情報とを、電子情報機器の表示画面上に同時に表示するために、通信機器を介して基地局に送信する送信ステップ、を含むことを特徴とする。
【０００６】
本発明の風状態情報表示方法は、さらに移動可能な第三風状態計測装置を少なくとも一つ追加して、該第三風状態計測装置の風向センサーの方向に対する風方向を少なくとも含む風状態を計測すると共に、該風向センサーの方向と前記第一風状態計測装置の風向センサーの方向との偏差角度を計測し、該偏差角度によって上記第三風状態計測装置の風向センサーによって計測された風方向を、上記第一風状態計測装置の風向センサーの方向に対する風方向に補正することを特徴とする。
【０００７】
そして、上記第三風状態計測装置によって計測されかつ上記第一風状態計測装置の風向センサーの方向に補正された風方向を少なくとも含む風状態情報を、上記第一風状態計測装置によって計測された風方向を少なくとも含む風状態情報および上記第二風状態計測装置によって計測されかつ上記第一風状態計測装置の風向センサーの方向に補正された風方向を少なくとも含む風状態情報と共に、電子情報機器の表示画面上に同時に表示するために、通信機器を介して基地局に送信することを特徴とする。これにより、同一の環境の異なる二地点または三地点における風向を、球を発する方向を基準として同時に表示することが可能となる。
【０００８】
本発明の風状態情報表示システムは、少なくとも一つの移動可能な第一風状態計測装置と少なくとも一つの上空の風を計測するために固定的に設置された第二風状態計測装置とを備えた、球等を飛ばす競技場の風状態を電子機器の表示画面上に表示するシステムであって、上記第一風状態計測装置の方向に対する風方向を少なくとも含む風状態を計測する手段、上記第二風状態計測装置の方向に対する上空の風方向を少なくとも含む風状態を計測する手段、上記第一風状態計測装置の方向と上記第二風状態計測装置の方向との偏差角度を決定する手段、上記第二風状態計測装置によって計測された該第二風状態計測装置の方向に対する風方向を上記偏差角度によって上記第一風状態計測装置の方向に対する風方向に補正する手段、および、上記第一風状態計測装置よって計測された風方向を少なくとも含む風状態情報と上記第一風状態計測装置の方向に対する風方向に補正された上記第二風状態計測装置によって計測された風方向を少なくとも含む風状態情報とを、電子情報機器の表示画面上に同時に表示するために、通信機器を介して基地局に送信する手段とを備えたことを特徴とする。
【０００９】
本発明の風状態情報表示システムは、さらに移動可能な第三風状態計測装置を少なくとも一つ追加して、該第三風状態計測装置には、該第三風状態計測装置の設置方向に対する風方向を少なくとも含む風状態を計測する手段および該第三風状態計測装置の方向を計測する手段を備え、上記第一風状態計測装置には、該第三風状態計測装置の方向と上記第一風状態計測装置の方向との偏差角度によって該第三風状態計測装置の方向に対する風方向を上記第一風状態計測装置の方向に対する風方向に補正する手段を備えたことを特徴とする。
【００１０】
本発明の風状態情報表示システムは、風状態情報を電子機器の表示画面に表示する際、その内容と対応する実写映像画面（動画フレーム等）と重ね合わせて表示する手段を備えるとともに、第一風状態測定装置の風向センサーの方向を画面垂直方向に決定し、この画面垂直方向に対して、上記第一風状態計測装置によって計測された風方向を少なくとも含む風状態情報および、上記第一風状態計測装置の方向に対する風方向に補正された第二風状態計測装置場合によっては第三風状態計測装置によってそれぞれ計測された風方向を少なくとも含む風状態情報を同時に表示する手段を備えたことを特徴とする。
【００１１】
なお、球等を飛ばす競技とは、ゴルフ、野球のように球を打撃して飛ばす競技を例示することが出来る。また、球等を飛ばす競技場としては、ゴルフコースや野球場、特に飛翔する球が風の影響を受けやすい野外のゴルフコースや野球場を例示することが出来る。
【００１２】
上記第一風状態計測装置の風向センサーの方向と上記第二風状態計測装置の風向センサーの方向との偏差角度を決定する手段の代表的な方法としては次の方法を例示することが出来る。
（１）コースレイアウトによって各ホールのティグランドの打球方向すなわち第一風向状態計測装置の風向センサーの方向と固定的に設置されている第二風状態計測装置の風向センサーの方向との偏差角度を地図上等で予め計測してそのデータをメモリに記憶しておき、各ホールごとにそのデータを呼び出して風向補正装置に入力する。なお、各ホールごとのデータをその場でマニュアル入力してもよい。
（２）第二風状態計測装置の風向センサーを、基準方位、例えば方位北に向けて設置し、第一風向状態計測装置の風向センサーの方向とその基準方位との偏差角度を方位計測装置で計測する。
【００１３】
第一風状態計測装置の風向センサーの方向と第三風状態計測装置の風向センサーの方向との偏差角度を計測する方法としては、例えば、第一風向センサーおよび第三風向センサーにそれぞれ方位計測装置を設け、それぞれの測定方位の差として偏差角度を計測することができる。 
【００１４】
なお、第二風状態計測装置の風向センサーは、環境中の遮蔽物のない高さに設置されることが好ましい。遮蔽物のない高所の風は時刻と共に変化しても、例えばゴルフコース程度の広さの範囲では風向、風速は一定しているので、コース内の１カ所で計れば全てのホールに共通した風情報を得ることが出来る。なお、山岳コースのように地域的に上空の風も変化する可能性のあるコースでは２つ又はそれ以上設ければよい。
【００１５】
また、ライブ中継の演出としては、コースの上空の風など従来は解らなかった風の情報も含めて立体的に数値等で示すことができ、解説の幅をさらに広げることが可能となる。  また、移動観測とは異なる固定観測により、最大風速や最高・最低気温、照度、湿度等についても測候所と同等レベルの正確な観測データが取得できる他、（観測点および基準方向の安定した）統計的な観測データをもとに、前日のスコアの振り返り等、解説のシーンで様々なコメントを入れることが可能となる。
【００１６】
第一風状態計測装置には、第二風状態計測装置、第三風状態計測装置と送受信するための無線送受信装置、移動体無線通信基地局と送受信するための無線送受信装置および上記風方向の補正処理を行うＣＰＵを備えている。
【００１７】
移動体無線通信基地局と送受信するための無線送受信装置としては、携帯電話を用いることができる。すなわち、この装置は、携帯電話のプロトコルによる発呼又は受呼が行えることが有利である。
【発明を実施するための最良の形態】
【００１８】
本発明をゴルフ競技のテレビ実況放映に適用した場合の実施例について説明する。
【実施例１】
【００１９】
この実施例では３つの風向センサーを備えた観測装置（Ｆ１、Ｆ２、Ｆ３）と２つの方位測定装置（Ｆ１ｉ、Ｆ３ｉ）および１つの設置情報ＲＯＭ（Ｆ２ｈ）とを用いて、３地点における風向の完全自動による風向情報補正を実現している。
【００２０】
図１は、現場の競技環境即ちゴルフコースにおける装置の配置並びにライブ中継テレビジョン放送における表示画面の具体例を示す図である。
【００２１】
ゴルフ競技環境１内には、ホール１１、ホール１２、その他の図示しないホールが存在しており、地上における風は通常各ホールごとに異なる。打者が移動するごとに、打者の近くの風向等を、第一の風向風速センサーＦ１ｇを備えた移動観測装置Ｆ１によって測定する。
【００２２】
一方、上空の風状態は刻々とは変化するかもしれないが、遮蔽物のない高度の上空では各ホールの位置にかかわらず概ね一定しているので、ゴルフコースの最も適する地点に設けた固定観測装置Ｆ２の第二の風向センサーＦ２ｇによって観測する。
【００２３】
また、打球の落下する地点においても風状態は異なるので、携帯式の移動観測装置Ｆ３の第三の風向センサーＦ３ｇによって観測する。
【００２４】
また、各観測装置には、風向測定の基準となる設置状態（方向Ｄ１、Ｄ２、Ｄ３）を検出して通信するための、（現在設置）方位測定装置（Ｆ１ｉ、Ｆ３ｉ）や設置情報ＲＯＭ（Ｆ２ｈ）が備わっており、第一の風向センサーＦ１ｇを備えた移動観測装置Ｆ１の設置情報（すなわち打者の指向する打球の方向Ｄ１）を基準とした一貫した表示を行うための風向補正ができるようにしている。
【００２５】
なお、主要な移動観測装置Ｆ１は移動可能に設けられている。例えば、２つのベルトで担当者の背中に移動観測装置Ｆ１を固定し、かつスタンスの向き（Ｄ１）を打者のスタンスの向き（Ｄ１）と一致させることにより、移動観測装置Ｆ１の第一の風向センサーＦ１ｇの方向（Ｄ１）を決定している。なお、この決定された方向は、上記（現在設定）方位測定装置Ｆ１ｉによって測定されることになる。
【００２６】
固定観測装置Ｆ２および移動観測装置Ｆ３によって観測された風状態等は、無線ＬＡＮによって移動観測装置Ｆ１に集められ、移動観測装置Ｆ１の風向センサーＦ１ｇの方向Ｄ１を基準とした風向補正を行った上で、移動観測装置Ｆ１内の携帯電話により、基地局を経てテレビ局にライブ送信される。
【００２７】
ライブ送信された複数の風向情報は、テレビ画面２の画面右下のテロップ（Ｇ１、Ｇ２、Ｇ３）として、通常のライブ映像の上に、スーパーインポーズ表示され、視聴者に、より詳細な競技環境情報を提供することができる。
【００２８】
テロップＧ１は、移動観測装置Ｆ１の方向Ｄ１を基準として、移動観測装置Ｆ１により観測された風向Ｗ１を含む風状態情報を示すものであり、ここでは、打者の右後ろからの追い風０．５ｍであることを表示している。
【００２９】
また、テロップＧ２は、固定観測装置Ｆ２の設置方向Ｄ２を基準として、第二の風向センサーＦ２ｇにより観測された風向情報を示すものであるが、移動観測装置Ｆ１内の計算機によりＤ１とＤ２の差分だけあらかじめ風向補正が行われた風向Ｗ２を表示している。
【００３０】
また、テロップＧ３は、移動観測装置Ｆ３の設置方向Ｄ３を基準として、第三の風向センサーＦ３ｇにより観測された風向情報を示すものであるが、移動観測装置Ｆ１内の計算機によりＤ１とＤ３の差分だけあらかじめ風向補正が行われた風向Ｗ３を表示している。
【００３１】
図２は、この実施例における、現場の各測定装置（Ｆ１、Ｆ２、Ｆ３）並びに関連する表示装置のセット（携帯電話基地局ＢＳ、画像合成装置Ｔ１、テロップ画像生成部Ｔ２等）を示す図である。
【００３２】
図の上部に示すように、競技環境の現場でロケライブを行うテレビカメラ、エンコード送信機、ライブ中継網およびデコード受信機により、従来技術による実写ライブ中継を行う一方、図の下部に示すように、前述した各風情報観測装置Ｆ１、Ｆ２、Ｆ３で観測した複数の風状態情報を、主要な移動観測装置Ｆ１内の携帯電話から、近傍の携帯電話基地局ＢＳ、移動通信網およびインターネット又は（公衆）電話網を介して、放送局Ｔに送信し、ライブ放送を可能にしている。
【００３３】
放送局Ｔ内では、ワークステーション（ＷＳ）又はパソコン（ＰＣ）内の通信制御部（コンピュータソフトウエア又はＡＳＩＣ等）の制御の下、上述の風状態情報等を、ルーター又はモデムを介してインターネット又は電話網から受信し、同じくテロップ画像生成部（コンピュータソフトウエア又はＡＳＩＣ等）によりスーパーインポーズ可能な二次元画像に連続的に（例えば毎秒３０フレームで）変換して出力している。
【００３４】
出力された二次元画像は、画像合成装置（ＡＳＩＣ等）Ｔ１により、従来技術により、受信した実写ライブ映像と合成（スーパーインポーズ）されて、テレビ放送用の送信機に送られることになる。
【００３５】
図３は、当該実施形態における、現場で用いる各測定装置（Ｆ１、Ｆ２、Ｆ３）の内部構造を示す図である。
【００３６】
本発明による主要な移動測定装置Ｆ１は、前述の携帯電話Ｆ１ａの他、筐体上部には、各種センサー（Ｆ１ｇ、Ｆ１ｉ）やアンテナ（Ｆ１ｅ）を備え、筐体内には、これらのセンサーやアンテナおよび携帯電話Ｆ１ａと接続された携帯パソコン（計算機）を備え、さらに筐体側面には、打者に追行する担当者が背負って固定するためのベルトＦ１ｌを備えている。
【００３７】
携帯パソコンは、ＣＰＵＦ１ｊ、メモリＦ１ｋ、バスＦ１ｃ、ＲＳ２３２ＣシリアルインターフェースＦ１ｆ、Ｆ１ｈといった通常の構成の他、モデム／デジタル端子Ｆ１ｂおよび無線ＬＡＮカードＦ１ｄを備えて、他の観測装置（Ｆ２、Ｆ３）とのローカルエリア無線通信および携帯電話Ｆ１ａを介した遠距離通信を可能にしている。
【００３８】
また、風向センサーＦ１ｇおよび方向測定装置（ジャイロ）Ｆ１ｉは、各ＲＳ２３２Ｃシリアルインターフェース（Ｆ１ｆ、Ｆ１ｈ）を介して、それぞれ、風向、風速および設置方向に関する現在の情報を、バスＦ１ｃおよびＣＰＵＦ１ｊを介してメモリＦ１ｋに提供しており、ＣＰＵＦ１ｊは、メモリＦ１ｋに格納されたこれらの情報をさらに互いに組み合わせて補正したり、モデム／デジタル端子Ｆ１ｂおよび携帯電話Ｆ１ａを介して放送局Ｔに送信したりすることができる。
【００３９】
固定観測装置Ｆ２は、Ｆ１と同様の構成であるが、携帯電話関連の構成（Ｆ１ａ、Ｆ１ｂ）、ベルトＦ１ｌ、および方向測定装置関連の構成（Ｆ１ｈ，Ｆ１ｉ）を含まないかわりに、設置情報ＲＯＭ（Ｆ２ｈ）を備えて固定した設置情報（Ｆ２の風向センサーの方向を特定できる情報等）を記憶しており、高高度の風状態情報の他、この設置情報を、主要な移動観測装置Ｆ１に、無線ＬＡＮで提供することができる。なお、湿度や照度を安定して提供するためのセンサーをも備え、これらの情報も無線ＬＡＮで提供することもできる。
【００４０】
固定観測装置Ｆ３も、Ｆ１と同様の構成であるが、携帯電話関連の構成（Ｆ１ａ、Ｆ１ｂ）を含まず、球の落下地点の風状態情報および設置方位情報（Ｆ３の風向センサーの方向を特定できる情報）のみを、主要な移動観測装置Ｆ１に、無線ＬＡＮで提供している。
【００４１】
図４は、当該実施形態における、現場で用いる主測定装置Ｆ１の携帯パソコンＦ１ｊのメモリＦ１ｋの内容を示す図である。
【００４２】
システム領域Ｍ１は、携帯パソコン内の図示しないＲＯＭにアドレス空間が割り当てられており、携帯パソコン用の基本的なＣＰＵ動作を規定（プログラム）している。
【００４３】
ＯＳ使用領域Ｍ２は、オペレーティングシステムのプログラムの他、無線ＬＡＮカード、ＲＳ２３２Ｃシリアルインターフェース、モデム、デジタル端子等のドライバプログラムを格納している。
【００４４】
Ｍ３は、本発明による複数風向表示方法のための専用プログラムがその動作中に占有するプロセス占有領域であり、プログラム領域Ｍ３１と、静的データ領域Ｍ３２とからなる。プログラム領域Ｍ３１は、図５に関して後述する処理フローのＣＰＵ命令系列（風向データ処理手順や計算式）を格納している。一方、静的データ領域Ｍ３２は、各風向センサーから集めた一時的な現在風向情報等およびその補正結果となる情報を格納している。
【００４５】
例えば、「第一風向センサー基準方向情報」は、打者の指向する打球方向（すなわち基準方向）Ｄ１に対応するものであり、打者に追行する担当者のスタンスによって位置決めされた第一の風向センサーに関連する方位測定装置によって観測された第一の風向センサーの設置方向が、３６０度形式、ラジアン形式等で格納される。
【００４６】
また、「第二風向センサーの補正後風向情報」には、「第二風向センサーの現在風向情報」（例えば「時計回りに４５度」）を、上記「第一風向センサー基準方向情報Ｄ１」（例えば「北」）と「第二風向センサー設置方向情報Ｄ２」（例えば「西」）との差分（この例では「時計回りに２７０度」）により、補正した値（同じ例では、「時計回りに３１５度」）が格納される。
【００４７】
動的データ領域Ｍ４は、これらの計算を行ったりするための、いわゆるワークエリアなどとして使用している。なお、Ｍ２からＭ３までは、ＲＡＭないしＨＤＤとして構成することができる。
【００４８】
図５は、当該実施形態における、現場で用いる主要な移動測定装置Ｆ１内の携帯パソコンのプログラムＭ３１の動作を示すフローチャートである。
【００４９】
ステップＳ１で、移動測定装置Ｆ１の電源が入れられ、このプログラムＭ３１がスタートすると、ステップＳ２では、放送局Ｔからの受呼（携帯電話がかかること）を待機し、受呼に自動応答してステップＳ３に進む。
【００５０】
ステップＳ３では、第一風向センサーＦ１ｇ等からバスＦ１ｃを介して風向、風速、Ｆ１の設置方向情報を取得して、上記静的データ領域Ｍ３２に格納する。同様に、ステップＳ４では、第二風向センサーＦ２ｇ等から無線ＬＡＮ・Ｆ１ｄ等を介して風向、風速、Ｆ２の設置方向情報を取得して、上記静的データ領域Ｍ３２に格納する。また同様に、ステップＦ５では、第三風向センサーＦ３ｇ等から無線ＬＡＮ・Ｆ１ｄ等を介して風向、風速、Ｆ３の設定方向情報を取得し、上記静的データ領域Ｍ３２に格納する。
【００５１】
なお、オプションとして、前述した別の実施形態では、これらのステップにかえて、ステップＳ３´、ステップＳ４´、ステップＳ５´を行うことができる。すなわち、Ｆ１、Ｆ３の（設置）方向情報やＦ２の設置（方向）情報を、その都度自動取得するかわりに現場の状況を観察してその都度手入力したり、（Ｆ１、Ｆ３について）事前にモデリングして定義した打者位置に対応する（打球）方向データを用いたり、（Ｆ２について）事前測定した現場の報告値を用いたり、することができる。
【００５２】
ステップＳ６では、まず、第一及び第三風向センサーの（設置）方向情報と、第二風向センサーの設置（方向）情報とから、第一風向センサーの（設置）方向情報（打者の指向する打球方向Ｄ１）を基準とした、第二及び第三風向センサーの補正後風向情報を計算して、上記静的データ領域Ｍ３２に格納する。ついで、各風向センサーの（Ｆ２、Ｆ３については補正後）風向情報、風速情報を、モデム又はデジタル端子Ｆ１ｂ及び携帯電話Ｆ１ａを介してテレビ局Ｔに送信する。なお、第二風向センサーに関連する固定観測装置Ｆ２は、移動観測装置Ｆ１やＦ３より安定度の高い温度情報、湿度情報、照度情報等も測定することができ、これらを併せて送信することも当然可能である。
【００５３】
ついで、ステップＦ７では、テレビ放送局Ｔからの接続（すなわち、複数風状態等送信要求）が終了したかどうかを検出し、終了（Ｙ）している場合はステップＳ２にもどり、終了していない（Ｎ）場合は、連続した現在風向情報の送信のためステップＳ３に戻ることになる。
【実施例２】
【００５４】
別の実施形態としては、２つの風状態計測装置（Ｆ１、Ｆ２）のみを用いる実施形態、方位測定装置や設置情報ＲＯＭのかわりにその都度設置方向をキー操作等で手入力する実施形態、テレビ局側が画像等で判断して適宜補正する実施形態、競技環境（ゴルフコース等）の事前モデリングデータおよび打者現在位置ＧＰＳデータ等を利用して事前モデリングされた各打球方向を想定する実施形態等を採用できることは当業者には明らかである。
【産業上の利用可能性】
【００５５】
本発明は、風状態が問題となる屋外の競技をライブ中継する場合に広く利用可能である。また、ライブ中継ではなく蓄積型の場合でもタイムスタンプ情報等を併用することにより明らかに利用可能である。
【図面の簡単な説明】
【００５６】
【図１】本発明の風状態表示装置を現場に配置した状態とそれに関連する電子機器の表示画面を示す説明図である。
【図２】本発明の風状態表示装置の配置とそれに関連する電子機器の表示装置の機器構成図である。
【図３】本発明の風状態表示装置の機能ブロック図である。
【図４】第一風状態計測装置のメモリの内容を示す説明図である。
【図５】第一風状態計測装置の動作を示すフローチャートである。
【符号の説明】
【００５７】
１  競技環境
１１  現在プレイしているホール
１２  別のホール  
２  テレビジョンの表示画面
ＢＳ  ゴルフ場（競技環境）をカバーする移動通信網の基地局
Ｄ１  第一の風向センサーの設置方向
Ｄ２  第二の風向センサーの設置方向
Ｄ３  第三の風向センサーの設置方向
Ｆ１  第一の風向センサーを備えた主要な携帯観測装置
Ｆ２  第二の風向センサーを備えた上空用固定観測装置
Ｆ３  第三の風向センサーを備えた補助的携帯観測装置
Ｇ１  第一の風向センサーによる風向及び風速の表示
Ｇ２  第二の風向センサーによる補正後の風向及び風速の表示
Ｇ３  第三の風向センサーによる補正後の風向及び風速の表示
【図１】
2005144003.tif 000003
【図２】
2005144003.tif 000004
【図３】
2005144003.tif 000005
【図４】
2005144003.tif 000006
【図５】
2005144003.tif 000007